(57)【要約】【課題】本発明の課題は、外気導入により快適性を維持しつつ省エネルギー性を向上させた空調制御を実現することにある。【解決手段】空調機Ａ１及び換気装置Ｆ１のうち少なくとも換気装置の制御を行う空調制御装置であって、情報取得部１１，１５と、快適温度域決定部１７と、外気導入制御部１２と、備える。情報取得部１１，１５は、少なくとも、空調機Ａ１の設置場所の室温及び外気温度を取得する。快適温度域決定部１７は、同設置場所における快適温度域を決定する。外気導入制御部１２は、外気温度と室温とを比較し、且つ室温と快適温度域の中間温度とを比較した結果に基づき、換気装置Ｆ１に対して外気導入制御を行う。【選択図】図２
2011208808.tif 000002
【特許請求の範囲】
【請求項１】
空調機（Ａ１）及び換気装置（Ｆ１）のうち少なくとも換気装置の制御を行う空調制御装置（１０）であって、
少なくとも、前記空調機の設置場所の室温及び外気温度を取得する情報取得部（１１，１５）と、
前記設置場所における快適温度域を決定する快適温度域決定部（１７）と、
前記外気温度と前記室温とを比較し、且つ前記室温と前記快適温度域の中間温度とを比較した結果に基づき、前記換気装置に対して外気導入制御を行う外気導入制御部（１２）と、
を備える、空調制御装置（１０）。
【請求項２】
前記外気導入制御部（１２）は、
前記外気温度が前記室温よりも低い場合は前記換気装置（Ｆ１）を外気導入許可状態に設定し、
少なくとも前記外気導入許可状態に設定されている場合のみ前記外気導入による冷房を行う、
請求項１に記載の空調制御装置。
【請求項３】
前記外気導入制御部（１２）は、
前記外気温度が前記室温以上である場合は前記換気装置（Ｆ１）を外気導入禁止状態に設定し、
前記換気装置（Ｆ１）が前記外気導入禁止状態に設定されている場合は、前記外気温度が前記室温より所定値以上低くなるまで前記換気装置（１２）を前記外気導入許可状態に変更しない、
請求項２に記載の空調制御装置。
【請求項４】
前記情報取得部（１１，１５）は更に、前記換気装置（Ｆ１）の運転状態情報を取得し、
前記外気導入制御部（１２）は、前記運転状態が外気導入中であり、且つ前記室温が前記快適温度域の中間温度以下である場合は、前記換気装置に対して外気導入を停止する指令を出す、
請求項２に記載の空調制御装置。
【請求項５】
前記情報取得部（１１，１５）は更に、前記換気装置（Ｆ１）の運転状態情報を取得し、
前記外気導入制御部（１２）は、前記運転状態が外気導入していない状態であり、且つ前記室温が前記快適温度域の中間温度より所定値以上高い場合は、前記換気装置に対して外気導入を開始する指令を出す、
請求項２に記載の空調制御装置。
【請求項６】
前記情報取得部（１１，１５）は更に、前記空調機（Ａ１）の冷房設定温度及び暖房設定温度のうち少なくとも一つを含む設定温度情報を取得し、
前記快適温度域決定部（１７）は、前記設定温度情報に基づき決定する、
請求項１に記載の空調制御装置。
【請求項７】
前記室温と前記設定温度とを比較した結果に基づき、前記空調機（Ａ１）の運転モードを指令する空調機制御部（１３）を更に備える、
請求項６に記載の空調制御装置。
【請求項８】
前記情報取得部（１１，１５）は更に、前記空調機（Ａ１）の運転状態情報を取得し、
前記空調機制御部（１３）は更に、前記空調機（Ａ１）の運転状態情報に応じて前記空調機（Ａ１）の運転モードを指令する、
請求項７に記載の空調制御装置。
【請求項９】
請求項１に記載の空調制御装置（１０）と、
前記空調制御装置に接続された一以上の換気装置（Ｆ１）と、
前記空調制御装置に接続された一以上の空調機（Ａ１）と、
前記空調制御装置に接続された外気温度センサー（２０）と、
を備える、空調制御システム。
【請求項１０】
空調機（Ａ１）及び換気装置（Ｆ１）のうち少なくとも換気装置の制御を行う空調制御方法であって、
少なくとも、前記空調機の設置場所の室温及び外気温度を取得する情報取得ステップと、
前記設置場所における快適温度域を決定する快適温度域決定ステップと、
前記外気温度と前記室温とを比較し、且つ前記室温と前記快適温度域の中間温度とを比較した結果に基づき、前記換気装置に対して外気導入制御を行う外気導入制御ステップと、
を備える、空調制御方法。
【発明の詳細な説明】
【技術分野】
【０００１】
本発明は、空調制御装置、空調制御システム及び空調制御方法に関し、特に外気導入制御を行う空調制御装置、空調制御システム及び空調制御方法に関する。
【背景技術】
【０００２】
従来、外気温度、室内温度及び空調機の設定温度を検出し、所定の判断基準に基づいて外気を室内に導入して、省エネルギー効果を図る空調制御装置が知られている（例えば、特許文献１参照）。
【特許文献１】特許第３０２８０６５号公報
【発明の開示】
【発明が解決しようとする課題】
【０００３】
しかしながら、室内設定温度（冷房設定温度又は暖房設定温度）を基準にして外気導入を判定すると、室内温度が設定温度以下（暖房の場合は以上）ある場合は外気導入をやめることになり、省エネルギー性が不十分となる。
【０００４】
本発明の課題は、快適性を維持しつつ外気導入による省エネルギー性を向上させる空調制御を実現することである。
【課題を解決するための手段】
【０００５】
第１発明に係る空調制御装置は、空調機及び換気装置のうち少なくとも換気装置の制御を行う空調制御装置であって、情報取得部と、快適温度域決定部と、外気導入制御部と、を備える。情報取得部は、少なくとも、空調機の設置場所の室温及び外気温度を取得する。快適温度域決定部は、設置場所における快適温度域を決定する。外気導入制御部は、外気温度と室温とを比較し、且つ室温と快適温度域の中間温度とを比較した結果に基づき、換気装置に対して外気導入制御を行う。
【０００６】
ここでは、より効果的に外気導入を行うことによって、快適性を維持しつつ省エネルギー性を向上させる空調制御を実現することができる。
【０００７】
第２発明に係る空調制御装置は、第１発明に係る空調制御装置であって、外気導入制御部は、外気温度が室温よりも低い場合は換気装置を外気導入許可状態に設定し、少なくとも外気導入許可状態に設定されている場合のみ外気導入による冷房を行う。
【０００８】
ここでは、外気導入と非外気導入との運転切替えが頻繁に行われることを防止し、快適性を損なわず、且つ装置の故障を防止する。
【０００９】
第３発明に係る空調制御装置は、第２発明に係る空調制御装置であって、外気導入制御部は、外気温度が室温以上である場合は換気装置を外気導入禁止状態に設定し、換気装置が外気導入禁止状態に設定されている場合は、外気温度が室温より所定値以上低くなるまで換気装置を外気導入許可状態に変更しない。
【００１０】
ここでは、外気導入と非外気導入との切替えが頻繁に行われることを防止し、快適性を損なわず、且つ装置の故障を防止する。
【００１１】
第４発明に係る空調制御装置は、第２発明に係る空調制御装置であって、情報取得部は更に、換気装置の運転状態情報を取得し、外気導入制御部は、運転状態が外気導入中であり、且つ室温が快適温度域の中間温度以下である場合は、換気装置に対して外気導入を停止する指令を出す。
【００１２】
ここでは、快適温度域内の中間温度まで外気導入を行うことにより、快適性を維持しつつ省エネルギー性を担保する。
【００１３】
第５発明に係る空調制御装置は、第２発明に係る空調制御装置であって、情報取得部は更に、換気装置の運転状態情報を取得し、外気導入制御部は、運転状態が外気導入していない状態であり、且つ室温が快適温度域の中間温度より所定値以上高い場合は、換気装置に対して外気導入を開始する指令を出す。
【００１４】
ここでは、外気導入と非外気導入との切替えが頻繁に行われることを防止し、快適性を損なわず、且つ装置の故障を防止する。
【００１５】
第６発明に係る空調制御装置は、第１発明に係る空調制御装置であって、情報取得部は更に、空調機の冷房設定温度及び暖房設定温度のうち少なくとも一つを含む設定温度情報を取得し、快適温度域決定部は、設定温度情報に基づき決定する。
【００１６】
ここでは、快適温度域を空調機の設定温度に基づき決定することで、自動的に快適温度域を決定することができる。
【００１７】
第７発明に係る空調制御装置は、第６発明に係る空調制御装置であって、室温と設定温度とを比較した結果に基づき、空調機の運転モードを指令する空調機制御部を更に備える。
【００１８】
ここでは、外気導入に合わせて空調機制御を行うことによって、より効果的に快適性を得ることができる。
【００１９】
第８発明に係る空調制御装置は、第７発明に係る空調制御装置であって、情報取得部は更に、空調機の運転状態情報を取得し、空調機制御部は更に、空調機の運転状態情報に応じて空調機の運転モードを指令する。
【００２０】
ここでは、空調機の運転モードの切替えが頻繁に行われることを防止し、快適性を損なわず、且つ装置の故障を防止する。
【００２１】
第９発明に係る空調制御システムは、請求項１に記載の空調制御装置と、空調制御装置に接続された一以上の換気装置と、空調制御装置に接続された一以上の空調機と、空調制御装置に接続された外気温度センサーと、を備える。
【００２２】
ここでは、より効果的に外気導入を行うことによって、快適性を維持しつつ省エネルギー性を向上させる空調制御を実現することができる。
【００２３】
第１０発明に係る空調制御システムは、空調機及び換気装置のうち少なくとも換気装置の制御を行う空調制御方法であって、情報取得ステップと、快適温度域決定ステップと、外気導入制御ステップと、を備える。情報取得ステップにおいては、少なくとも、空調機の設置場所の室温及び外気温度を取得する。快適温度域決定ステップにおいては、設置場所における快適温度域を決定する。外気導入制御ステップにおいては、外気温度と室温とを比較し、且つ室温と快適温度域の中間温度とを比較した結果に基づき、換気装置に対して外気導入制御を行う。
【００２４】
ここでは、より効果的に外気導入を行うことによって、快適性を維持しつつ省エネルギー性を向上させる空調制御を実現することができる。
【発明の効果】
【００２５】
本発明によれば、より効果的に外気導入を行うことによって、快適性を維持しつつ省エネルギー性を向上させる空調制御を実現することができる。
【発明を実施するための最良の形態】
【００２６】
１．実施形態
１．１．空調制御システムの全体構成
図１は、本実施形態に係る空調制御システム１の全体構成を示す。空調制御システム１は、コントローラ１０により外気導入制御と空調機制御とを行うことによって、快適性を維持しつつ省エネルギー性を確保するシステムである。空調制御システム１は、空調制御装置であるコントローラ１０と、同コントローラ１０に接続された外気温度センサー２０と、複数の室内機Ａ１，Ａ２．．．と、複数の換気装置Ｆ１，Ｆ２．．．と、を備える。
【００２７】
空調制御システム１は、施設や建物毎に配される。コントローラ１０は、各室内機Ａ１，Ａ２．．．及び換気装置Ｆ１，Ｆ２．．．と制御線３０，４０でそれぞれ接続されている。コントローラ１０はまた、外気温度センサー２０と通信線５０を介して接続されている。
【００２８】
室内機Ａ１，Ａ２．．．及び換気装置Ｆ１，Ｆ２．．．は、コントローラ１０による制御単位となる制御グループＧ１，Ｇ２．．．を構成している。制御グループＧ１，Ｇ２．．．は、例えばフロア毎や部屋毎等に定め、各制御グループＧ１，Ｇ２．．．に属する換気装置Ｆ１，Ｆ２．．．及び室内機Ａ１，Ａ２．．．は共通の制御指令をコントローラ１０から取得する。
【００２９】
各制御グループＧ１，Ｇ２．．．の室内機Ａ１，Ａ２．．．には、それぞれ代表室内機を定めている。各室内機Ａ１，Ａ２．．．は、室温として吸込温度を計測するセンサー（図示省略）を有する。なお、後述するように、コントローラ１０により取得される室温は代表室内機Ａ１のみからとるようにする。
【００３０】
１．２．コントローラの構成
図２は、コントローラ１０の概略的構成を示す。コントローラ１０は、外気温度センサー２０、室内機Ａ１，Ａ２．．．及び換気装置Ｆ１，Ｆ２．．．との入出力を介して、室内機Ａ１，Ａ２．．．及び換気装置Ｆ１，Ｆ２．．．の制御を行う。コントローラ１０は、通信部１１、外気導入制御部１２、空調機制御部１３、記憶部１４、入力部１５、表示部１６及び快適温度域決定部１７を有する。
【００３１】
通信部１１は、コントローラ１０の情報取得部として機能し、換気装置Ｆ１，Ｆ２．．．、室内機Ａ１，Ａ２．．．、外気温度センサー２０等から情報を取得する。具体的には、通信部１１は、換気装置Ｆ１，Ｆ２．．．より制御線３０を介して後述する換気装置Ｆ１，Ｆ２．．．の運転状態情報（ダンパーのＯＮ／ＯＦＦ情報や換気モード情報）等を受信する。通信部１１はまた、室内機Ａ１，Ａ２．．．のうち代表室内機Ａ１，Ａ２から制御線４０を介して室温情報等を取得する。通信部１１はまた、室内機Ａ１，Ａ２．．．の運転状態情報（「冷房」、「送風」、「暖房」等）を受信する。通信部１１は更に、外気温度センサー２０より通信線５０を介して外気温度を取得する。更に、通信部１１は、外気導入制御部１２や空調機制御部１３により生成された制御指令を、制御線３０，４０を介して換気装置Ｆ１，Ｆ２．．．や室内機Ａ１，Ａ２．．．に送信する。通信部１１により送受信される各情報は、制御部Ｃを介して記憶部１４に格納される。
【００３２】
外気導入制御部１２は、取得した各情報に基づき換気装置Ｆ１，Ｆ２．．．に対する制御指令を生成する。空調機制御部１３は、取得した各情報に基づき室内機Ａ１，Ａ２．．．に対する制御指令を生成する。快適温度域決定部１７は、一定の快適性を保証する温度域である快適温度域を決定する。決定された快適温度域は記憶部１４に格納される。本実施形態においては、快適温度域として、上限値を冷房設定温度、下限値を暖房設定温度とする温度域を用いている。
【００３３】
各設定温度は、入力部１５を介してユーザにより入力されてもよいし、代表室内機Ａ１等より制御線４０を介して取得されてもよい。また、快適温度域は設定温度に限定されず、例えば、入力部１５等を介してユーザにより入力された情報に基づき決定してもよい。
【００３４】
記憶部１４は、通信部１１により受信した各情報や制御部Ｃにより生成した情報、及び登録情報、設定情報等を格納する。登録情報とは、ユーザの入力操作等により設定された登録情報で、コントローラ１０に接続される換気装置Ｆ１，Ｆ２．．．や室内機Ａ１，Ａ２の識別情報、制御グループＧ１，Ｇ２．．．の識別情報、及びそれらの対応関係等の情報である。設定情報とは、後述する外気導入制御の有効／無効の設定や快適温度域等である。入力部１５は、コントローラ１０の情報取得部として機能し、ユーザの入力を介して制御指令や設定等の情報を受け付ける。表示部１６は、ユーザの入力操作等に従って情報を表示する。
【００３５】
コントローラ１０は、例えば次のような構成を有するコンピュータである。通信部１１は、コントローラ１０と制御線３０，４０や通信線５０とを接続するインターフェース部である。外気導入制御部１２、空調機制御部１３及び快適温度域決定部１７は、記憶部１４に格納されたプログラムや情報を読み込んで演算・制御を実行するＣＰＵ等の制御部Ｃにより実現される。記憶部１４は、ＲＡＭやＲＯＭ等の内部メモリや、ハードディスク等の外部メモリにより実現される。入力部１５は、例えば、表示部（ディスプレイ等）に設けたタッチパネル等である。表示部１６は、液晶等のディスプレイである。
【００３６】
なお、上述のコントローラ１０の構成は一例であり、本発明は上記構成に限定されない。
【００３７】
１．３．換気装置
換気装置Ｆ１，Ｆ２．．．は、外気と室内空気を給排気する装置である。換気装置Ｆ１，Ｆ２．．．は、公知の換気装置であり、例えば、ダクトに設けられたダンパーの開閉によって換気を行う装置であってもよいし、いわゆる全熱交換器を備えた装置であってもよい。ダンパー開閉による換気装置の場合は、その制御部がコントローラ１０の外気導入制御部１２より外気導入指令を受信すると、ダンパーを開いて外気を導入する。また、同制御部が外気導入停止する指令を受信すると、ダンパーを閉鎖して外気導入を止める。全熱交換器を備えた装置である場合、その制御部がコントローラ１０の外気導入制御部１２より外気導入指令を受信すると、換気モードによりで運転を開始し外気を導入する。一方、同制御部が、外気導入停止指令を受信すると、換気モードを停止して外気導入を止める。なお、全熱交換器は、通常、流路切替ダンパーの操作により非熱交換経路によって外気と室内空気とを給排気する換気モードと、熱交換経路によって給排気する熱交換モードとを有する。本実施形態においては、換気モードを利用して外気導入による冷房を行う。
【００３８】
１．４．室内機
室内機Ａ１，Ａ２．．．は、調和された空気を室内に供給するための装置であり、室内の天井等に取付けられる。室内機Ａ１，Ａ２．．．は、室外に設置される空調室外機（図示省略）と冷媒配管によって結ばれており冷媒を流通させる。室内機Ａ１，Ａ２．．．及び室外機は、冷媒回路を形成し、アキュムレータ、圧縮機、四路切換弁、室外熱交換器、電動膨張弁および室内熱交換器で形成されている。
【００３９】
なお、本発明の空調機は上記タイプに限定されない。
【００４０】
１．５．コントローラによる制御
本実施形態においては、外気導入制御及び空調機制御を協働させ、室温をできるだけ快適温度域内になるように維持するようにするとともに、快適温度域内においては外気導入を積極的に行うことにより省エネルギー性を向上させる。なお、本実施形態では、快適温度域とは、冷房設定温度及び暖房設定温度間の温度としている。
【００４１】
１．５．１．基本的な制御
図３は、コントローラ１０により行う制御の基本的な制御態様を示した図である。
【００４２】
（外気温度が室温より低い場合）
室温が快適温度域以上である場合は、換気装置Ｆ１，Ｆ２．．．により外気を導入しつつ室内機Ａ１，Ａ２．．．により冷房を行うことで、快適性を確保する。室温が快適温度域内にある場合は、快適性は保たれているので、室内機Ａ１，Ａ２．．．による冷房をやめて送風運転としつつ、快適温度域内の中間温度まで換気装置Ｆ１，Ｆ２．．．により積極的に外気を取り込むことで省エネルギー性を向上させる。室温が快適温度域より低い場合は、寒さにより快適性が保たれていないため、室内機Ａ１，Ａ２．．．を暖房運転とする。
【００４３】
（外気温度が室温以上である場合）
室温が快適温度域以上である場合は、室内機Ａ１，Ａ２．．．により冷房を行って快適性を得る。室温が快適温度域内にある場合は、快適性は保たれているので、室内機Ａ１，Ａ２．．．による送風運転とする。室温が快適温度域より低い場合は、室内機Ａ１，Ａ２．．．を暖房運転とする。
【００４４】
１．５．２．外気導入制御
図４〜７は、コントローラ１０の外気導入制御部１２による外気導入制御の流れ及びその内容を示す。コントローラ１０の外気導入制御部１２は、まず、換気装置Ｆ１．．．を外気導入許可状態又は外気導入禁止状態に設定し、外気導入許可状態にある場合のみ外気導入による冷房を行うかどうかを判断する。したがって、図４は、外気導入による冷房を行う場合の前提的設定を行うための制御である。なお、ここでは、換気装置は一制御グループＧ１に属する換気装置Ｆ１．．．を例にし、室温は同制御グループに設置された代表室内機Ａ１の吸込温度とする。
【００４５】
Ｓ１０１ステップ：外気導入制御部１２は、所定時間毎（例えば５分毎）に、換気装置Ｆ１．．．が外気導入禁止状態であるかどうかを判断する。外気導入禁止状態でない場合、Ｓ１０２ステップに進み、外気導入禁止状態にある場合、Ｓ１０５ステップに進む。
【００４６】
なお、換気装置Ｆ１．．．を外気導入許可状態又は外気導入禁止状態に設定するとは、換気装置Ｆ１．．．が外気導入許可状態又は外気導入禁止状態であることを示す情報を、例えばフラグの有無等により記憶部１４に格納すること、或いは格納されている同情報を更新することをいう。
【００４７】
Ｓ１０２ステップ：外気導入制御部１２は、外気温度が室温より低いかどうかを判断し、低い場合はＳ１０３ステップに進み、外気温度が室温以上である場合はＳ１０４ステップに進む。
【００４８】
Ｓ１０３ステップ：外気導入制御部１２は、換気装置Ｆ１．．．を外気導入許可状態に設定し、その情報を記憶部１４に格納する。なお、すでに外気導入許可状態にある場合はそのまま処理を終了する。
【００４９】
Ｓ１０４ステップ：外気導入制御部１２は、換気装置Ｆ１．．．を外気導入禁止状態に設定し、その情報を記憶部１４に格納する。
【００５０】
Ｓ１０５ステップ：一方、換気装置Ｆ１がすでに外気導入禁止状態にある場合は、外気導入制御部１２は、外気温度が室温−４℃より低いかどうかを判断する。室温−４℃より低い場合はＳ１０６ステップに進み、外気温度が室温−４℃以上である場合は、処理を終了して外気導入禁止状態を継続させる。
【００５１】
Ｓ１０６ステップ：外気導入制御部１２は、換気装置Ｆ１．．．を外気導入許可状態に設定する。
【００５２】
図５は、上記処理の内容をグラフで表したものである。外気導入制御部１２は、換気装置Ｆ１．．．が外気導入許可状態にある場合は室温（図中の実線）と外気温度とを比較する。一方、換気装置Ｆ１．．．が外気導入禁止状態にある場合は室温−４℃（図中の点線）と外気温度とを比較する。このように換気装置Ｆ１．．．の運転状態に応じて、判断基準となる室温にマージンを持たせることにより、換気装置Ｆ１．．．の運転が頻繁に切替えられることを防ぐ。
【００５３】
図６は、コントローラ１０の外気導入制御部１２が、換気装置Ｆ１．．．に対し外気導入による外気冷房を開始又は指令する制御の流れを示す。
【００５４】
Ｓ１１１ステップ：外気導入制御部１２は、所定時間毎（例えば５分毎）に、換気装置Ｆ１が外気導入許可状態であるかどうかを判断する。外気導入許可状態である場合はＳ１１２ステップに進み、外気導入禁止状態の場合は処理を終了する。
【００５５】
Ｓ１１２ステップ：外気導入制御部１２は、換気装置Ｆ１．．．が現在外気導入中であるかどうかを判断する。外気導入中である場合はＳ１１３ステップに進み、外気導入中でない場合はＳ１１５ステップに進む。
【００５６】
Ｓ１１３ステップ：外気導入制御部１２は、室温が快適温度域の中間温度より高いかどうかを判断する。室温が中間温度より高い場合は処理を終了して引き続き外気導入を行うものとし、室温が中間温度以下である場合は、Ｓ１１４ステップに進む。
【００５７】
Ｓ１１４ステップ：外気導入制御部１２は、外気導入を停止する指令を生成し、通信部１１を介して換気装置Ｆ１．．．に送信する。
【００５８】
Ｓ１１５ステップ：一方、外気導入中でない場合、外気導入制御部１２は、室温が上記中間温度＋１℃より高いかどうかを判断する。室温が上記中間温度＋１℃より高い場合はＳ１１６ステップに進み、室温が上記中間温度＋１℃以下である場合は処理を終了して、外気導入を行わないものとする。
【００５９】
Ｓ１１６ステップ：外気導入制御部１２は、外気導入を開始する指令を生成し、通信部１１を介して換気装置Ｆ１．．．に送信する。
【００６０】
図７は、上記処理の内容をグラフで表したものである。外気導入制御部１２は、室温が快適温度域の中間温度に至るまで積極的に外気冷房を行う。外気導入制御部１２はまた、換気装置Ｆ１．．．が外気導入中である場合は室温と中間温度とを比較し、外気導入中でない場合は、室温と中間温度＋１℃とを比較する。このように換気装置Ｆ１．．．の状態に応じて判断基準となる中間温度にマージンを持たせることにより、状態の切替えが頻繁に行われることを防ぐ。
【００６１】
なお、上記処理の流れは一例であり、本発明はこれに限定されない。
【００６２】
１．５．３．空調機による制御
図８Ａ〜８Ｃ及び図９は、コントローラ１０の空調機制御部１３による空調制御の流れ及びその内容を示す。コントローラ１０の空調機制御部１３は、室内機Ａ１．．．の現在の運転モードを判断し、且つ室温と設定温度とを比較して、運転モードの指令を出す。これにより、上記外気導入と連動させるより省エネルギー性を高めつつ更に快適性を得ることを図る。ここでは、室内機は一制御グループＧ１に属する室内機Ａ１．．．を例にし、室温は同制御グループに設置された代表室内機Ａ１の吸込温度であるものとする。
【００６３】
Ｓ１２１ステップ：空調機制御部１３は、所定時間毎（例えば５分毎）に、先の運転モード指令が「冷房」であったか（或いは現運転モードが「冷房」であるか）を判断する。「冷房」である場合はＳ１２２ステップに進み、「冷房」でない場合はＳ１２７ステップ（図８Ｂ）に進む。なお、この判断処理は、例えば、空調機制御部１３が、先に出した運転モード指令を室内機Ａ１．．．の運転モード情報として記憶部１４に格納しておき、その情報を読み出して判断する。或いは、空調機制御部１３は、室内機Ａ１．．．の制御部にアクセスし、現在の運転モード情報を取得するようにしてもよい。
【００６４】
Ｓ１２２ステップ：図８Ａに示すように、空調機制御部１３は、室温が冷房設定温度よりも高いかどうかを判断し、高い場合はＳ１２３ステップに進み、室温が冷房設定温度以下である場合はＳ１２４ステップに進む。
【００６５】
Ｓ１２３ステップ：空調機制御部１３は、室内機Ａ１．．．に対し運転モードを「冷房」とする指令を出す。なお、室内機Ａ１．．．が現在冷房中である場合はそのまま処理を終了する。
【００６６】
Ｓ１２４ステップ：空調機制御部１３は、室温が冷房設定温度以下であり且つ暖房設定温度−１℃以上であるかどうかを判断する。この条件が真である場合はＳ１２５ステップに進み、偽である場合はＳ１２６ステップに進む。
【００６７】
Ｓ１２５ステップ：空調機制御部１３は、室内機Ａ１．．．に対し運転モードを「送風」とする指令を出す。
【００６８】
Ｓ１２６ステップ：空調機制御部１３は、室内機Ａ１．．．に対し運転モードを「暖房」とする指令を出す。
【００６９】
Ｓ１２７ステップ：一方、図８Ｂに示すように、最後の運転モード指令が「冷房」でない場合（或いは現運転モードが「冷房」でない場合）は、空調機制御部１３は更に、最後の運転モード指令が「送風」であるか（或いは現運転モードが「送風」であるか）を判断する。「送風」である場合はＳ１２８ステップに進み、「送風」でない場合はＳ１３３ステップ（図８Ｃ）に進む。
【００７０】
Ｓ１２８ステップ：空調機制御部１３は、室温が冷房設定温度＋１℃よりも高いかどうかを判断し、高い場合はＳ１２９ステップに進み、室温が冷房設定温度＋１℃以下である場合はＳ１３０ステップに進む。
【００７１】
Ｓ１２９ステップ：空調機制御部１３は、室内機Ａ１．．．に対し運転モードを「冷房」とする指令を出す。
【００７２】
Ｓ１３０ステップ：空調機制御部１３は、室温が冷房設定温度＋１℃以下であり且つ暖房設定温度−１℃以上であるかどうかを判断する。この条件が真である場合はＳ１３１ステップに進み、偽である場合はＳ１３２ステップに進む。
【００７３】
Ｓ１３１ステップ：空調機制御部１３は、室内機Ａ１．．．に対し運転モードを「送風」とする指令を出す。なお、室内機Ａ１．．．が現在送風中である場合はそのまま処理を終了する。
【００７４】
Ｓ１３２ステップ：空調機制御部１３は、室内機Ａ１．．．に対し運転モードを「暖房」とする指令を出す。
【００７５】
Ｓ１３３ステップ：一方、図８Ｃに示すように、運転モード指令が「冷房」でも「送風」でもない（或いは現運転モードが「冷房」でも「送風」でもない）場合、すなわち「暖房」である場合は、空調機制御部１３は、室温が冷房設定温度＋１℃よりも高いかどうかを判断し、高い場合はＳ１３４ステップに進み、室温が冷房設定温度＋１℃以下である場合はＳ１３５ステップに進む。
【００７６】
Ｓ１３４ステップ：空調機制御部１３は、室内機Ａ１．．．に対し運転モードを「冷房」とする指令を出す。
【００７７】
Ｓ１３５ステップ：空調機制御部１３は、室温が冷房設定温度＋１℃以下であり且つ暖房設定温度以上であるかどうかを判断する。この条件が真である場合はＳ１３６ステップに進み、偽である場合はＳ１３７ステップに進む。
【００７８】
Ｓ１３６ステップ：空調機制御部１３は、室内機Ａ１．．．に対し運転モードを「送風」とする指令を出す。
【００７９】
Ｓ１３７ステップ：空調機制御部１３は、室内機Ａ１．．．に対し運転モードを「暖房」とする指令を出す。なお、室内機Ａ１．．．が現在暖房中である場合はそのまま処理を終了する。
【００８０】
図９は、上記処理の内容をグラフで表したものである。空調機制御部１３は、室温が快適温度域外にあるときは、積極的に運転モードを「冷房」または「暖房」にすることで快適性を保ち、室温が快適温度域内にある場合は、運転モードを「送風」にする。更にこの快適温度内において外気導入による冷房を積極的に行うことにより、省エネルギー効果を発揮させることができる。また、空調機制御部１３は、室内機Ａ１．．．が「冷房」、「送風」及び「暖房」のいずれの運転モードであるかを判断し、その現運転モードに応じて判断内容を変更する。つまり、運転モードを変更する場合は設定温度に所定値（例示では１℃）のマージンを持たせて判断することにより、運転モードの切替えが頻繁に行われることを防ぐ。
【００８１】
なお、上記処理の流れは一例であり、本発明はこれに限定されない。
【００８２】
１．６．コントローラによる表示
本実施形態に係るコントローラ１０によれば、上記制御による外気導入効果を表示し、分析することができる。図１０及び図１１は、外気導入効果を示すグラフである。図１０は、朝と晩の時間帯に外気導入を行うパターンを示す。図１１は、朝晩の寒暖差が激しい場合の外気導入パターンを示す。これらの表示により、総外気導入時間、冷房運転と外気導入を併用した時間、送風運転と外気導入を併用した時間等を把握することができるため、省エネルギー効果を見ることができる。
【００８３】
これらの情報は、コントローラ１０の入力部１５から所定の指令を入力することにより、制御部Ｃを介して表示部に表示される。或いは、コントローラ１０をＬＡＮ等の内部ネットワークやインターネット等の外部ネットワークからアクセスできるように設定し、遠隔のコンピュータ機器から入力及び表示できるようにしてもよい。
【００８４】
１．７．実施形態の特徴
（１）
上記実施形態に係るコントローラ１０によれば、快適温度域決定部１７により快適温度域を決定し、外気導入制御部１２がその快適温度域の中間温度まで外気導入を積極的に行うため、快適性を保ちする省エネルギー性に優れた空調制御が可能となる。また、換気装置Ｆ１，Ｆ２．．．が外気導入中であるかどうかに応じて、中間温度にマージンを持たせて判断処理を行う。これにより、運転切替えが頻繁に行われるというようなハンチング現象を防止することができ、快適性を損なわず、また換気装置Ｆ１，Ｆ２．．．の故障を防止する。
【００８５】
（２）
また、上記実施形態に係るコントローラ１０によれば、空調機制御部１３が、上記外気導入制御部１２による制御に合わせるよう快適温度域に対応して室内機Ａ１，Ａ２．．．の運転を制御するため、外気導入効果による省エネルギー性と空調機制御による快適性をより効果的に得ることができる。また、先の室内機Ａ１，Ａ２．．．の運転モードに応じて、設定温度にマージンを持たせて判断処理を行う。これにより、室内機Ａ１，Ａ２．．．の運転切替えが頻繁に行われるというようなハンチング現象を防止することができ，快適性を損なわず、また室内機Ａ１，Ａ２．．．の故障を防止する。
【００８６】
（３）
更に、上記実施形態に係るコントローラ１０によれば、外気導入効果を表示することができるため、その効果を把握することができるとともに、気候、地域、施設の環境等に合わせた外気導入効果を予測し、利用者に提案することができる。
【００８７】
２．変形例
上記実施形態に係るコントローラ１０の空調機制御部１３では、上記機能に加え、決定した運転モード指令を受けた場合、同時に予め設定されている快適温度域情報から設定温度値を決定し、室内機Ａ１，Ａ２．．．に指令を送信してもよい。この場合、「冷房」指令時には快適温度域の上限温度を冷房設定温度、「暖房」指令時には快適温度域の下限温度を暖房設定温度として決定し、送信する。「送風」指令時には設定しない。
【産業上の利用可能性】
【００８８】
本発明は、外気導入により快適性を維持しつつ省エネルギー性を向上させた空調制御を実現する効果を有し、空調制御装置、空調制御システム及び空調制御方法として有用である。
【図面の簡単な説明】
【００８９】
【図１】実施形態に係る空調制御システムの全体構成図。
【図２】実施形態に係るコントローラの概略構成図。
【図３】実施形態に係るコントローラによる基本的な制御態様を説明する図。
【図４】本実施形態に係るコントローラによる外気導入許可／禁止制御の処理の流れを示す図。
【図５】本実施形態に係るコントローラによる外気導入許可／禁止制御の内容を示す図。
【図６】本実施形態に係るコントローラによる外気導入制御の処理の流れを示す図。
【図７】本実施形態に係るコントローラによる外気導入制御の内容を示す図。
【図８Ａ】本実施形態に係るコントローラによる空調機制御の処理の流れを示す図。
【図８Ｂ】本実施形態に係るコントローラによる空調機制御の処理の流れを示す図。
【図８Ｃ】本実施形態に係るコントローラによる空調機制御の処理の流れを示す図。
【図９】本実施形態に係るコントローラによる空調機制御の内容を示す図。
【図１０】本実施形態に係るコントローラによる外気導入効果を示す図。
【図１１】本実施形態に係るコントローラによる他の外気導入効果を示す図。
【符号の説明】
【００９０】
１          空調制御システム
１０        コントローラ（空調制御装置）
１１        通信部（情報取得部）
１２        外気導入制御部
１３        空調機制御部
１４        記憶部
１５        入力部（情報取得部）
１６        表示部
１７        快適温度域決定部
２０        外気温度センサー
３０        制御線
４０        制御線
５０        通信線
Ｃ          制御部
Ａ１，Ａ２  室内機（空調機）
Ｆ１，Ｆ２  換気装置
Ｇ１，Ｇ２  制御グループ
【図１】
2011208808.tif 000003
【図２】
2011208808.tif 000004
【図３】
2011208808.tif 000005
【図４】
2011208808.tif 000006
【図５】
2011208808.tif 000007
【図６】
2011208808.tif 000008
【図７】
2011208808.tif 000009
【図８Ａ】
2011208808.tif 000010
【図８Ｂ】
2011208808.tif 000011
【図８Ｃ】
2011208808.tif 000012
【図９】
2011208808.tif 000013
【図１０】
2011208808.tif 000014
【図１１】
2011208808.tif 000015